(57)【要約】本開示は、セルラーおよびデバイスツーデバイス（Ｄ２Ｄ）の混在型ネットワーク（３００）におけるユーザ装置（ＵＥ）（３０１）によって実行される通信方法と、当該ＵＥを開示している。本方法は、セルラーおよびＤ２Ｄ混在型ネットワーク（３００）において、Ｄ２Ｄサブフレームの終了位置または開始位置にガード期間（ＧＰ）を有している少なくとも一つのＤ２Ｄサブフレームを含む無線フレーム構造にしたがって通信するステップを有する。
2016524858.tif 000002
【特許請求の範囲】
【請求項１】
セルラーおよびデバイスツーデバイス（Ｄ２Ｄ）混在型ネットワーク（３００）におけるユーザ装置（ＵＥ）によって実行される通信方法であって、
前記セルラーおよびＤ２Ｄ混在型ネットワーク（３００）において、Ｄ２Ｄサブフレームの終了位置または開始位置にガード期間（ＧＰ）を有している少なくとも一つのＤ２Ｄサブフレームを含む無線フレーム構造にしたがって通信すること（Ｓ２２０）を有する通信方法。
【請求項２】
前記Ｄ２Ｄサブフレームの終了位置または開始位置に前記ＧＰを有している少なくとも一つのＤ２Ｄサブフレームを含む前記無線フレーム構造を決定すること（Ｓ２１０）をさらに有する請求項１に記載の通信方法。
【請求項３】
前記無線フレーム構造は、セルラーサブフレームよりも後に前記Ｄ２Ｄサブフレームが送信され、かつ、前記セルラーサブフレームのタイミングアドバンスＴＡ＿ｃｅｌｌが前記Ｄ２Ｄサブフレームを送信するためのタイミングアドバンスＴＡ＿Ｄ２Ｄよりも短い場合に、前記ＧＰを開始位置に有する前記Ｄ２Ｄサブフレームを含む、請求項１または２に記載の通信方法。
【請求項４】
前記無線フレーム構造は、前記Ｄ２Ｄサブフレームよりも後にセルラーサブフレームが送信され、かつ、前記セルラーサブフレームのタイミングアドバンスＴＡ＿ｃｅｌｌが前記Ｄ２Ｄサブフレームを送信するためのタイミングアドバンスＴＡ＿Ｄ２Ｄよりも長いか等しい場合に、ＧＰを終了位置に有するＤ２Ｄサブフレームを含む、請求項１または２に記載の通信方法。
【請求項５】
前記無線フレーム構造は、前記セルラーサブフレームが送信された後に前記Ｄ２Ｄサブフレームが受信され、かつ、前記セルラーサブフレームのタイミングアドバンスＴＡ＿ｃｅｌｌが、前記Ｄ２Ｄサブフレームを送信するためのタイミングアドバンスＴＡ＿Ｄ２Ｄから、Ｄ２Ｄ ＴＸからＤ２Ｄ ＲＸへの前記Ｄ２Ｄサブフレームの送信遅延Ｔ＿ＴｒａｎｓＤｅｌａｙを減算したものよりも短い場合に、前記ＧＰを開始位置に有する前記Ｄ２Ｄサブフレームを含む、請求項１または２に記載の通信方法。
【請求項６】
前記無線フレーム構造は、前記Ｄ２Ｄサブフレームが受信された後にセルラーサブフレームが送信され、かつ、前記セルラーサブフレームのタイミングアドバンスＴＡ＿ｃｅｌｌが、前記Ｄ２Ｄサブフレームを送信するためのタイミングアドバンスＴＡ＿Ｄ２Ｄから、Ｄ２Ｄ ＴＸからＤ２Ｄ ＲＸへの前記Ｄ２Ｄサブフレームの送信遅延Ｔ＿ＴｒａｎｓＤｅｌａｙを減算したものよりも長いか等しい場合に、前記ＧＰを終了位置に有する前記Ｄ２Ｄサブフレームを含む、請求項１または２に記載の通信方法。
【請求項７】
前記無線フレーム構造は、第一のＤ２Ｄサブフレームが受信された後に第二のＤ２Ｄサブフレームが送信される場合、前記第二のＤ２Ｄサブフレームが続く前記第一のＤ２Ｄサブフレームを含み、前記第一のＤ２Ｄサブフレームの終了位置に前記ＧＰがあり、および／または、前記第二のＤ２Ｄサブフレームの開始位置に前記ＧＰがある、請求項１または２に記載の通信方法。
【請求項８】
前記ＧＰは直交周波数分割多重（ＯＦＤＭ）シンボルの一つの継続時間に相当する、請求項１ないし７のいずれか一項に記載の通信方法。
【請求項９】
セルラーおよびデバイスツーデバイス（Ｄ２Ｄ）混在型ネットワーク（３００）におけるユーザ装置（ＵＥ）（３０１）であって、
前記セルラーおよびＤ２Ｄ混在型ネットワーク（３００）において、Ｄ２Ｄサブフレームの終了位置または開始位置にガード期間（ＧＰ）を有している少なくとも一つのＤ２Ｄサブフレームを含む無線フレーム構造にしたがって送信および受信を実行するように構成された通信機（１０２０）を有する、ＵＥ（３０１）。
【請求項１０】
前記Ｄ２Ｄサブフレームの終了位置または開始位置に前記ＧＰを有している少なくとも一つのＤ２Ｄサブフレームを含むように前記無線フレーム構造を決定するように構成された無線フレーム構造決定ユニット（１０１０）をさらに有する、請求項９に記載のＵＥ（３０１）。
【請求項１１】
前記無線フレーム構造は、セルラーサブフレームよりも後に前記Ｄ２Ｄサブフレームが送信され、かつ、前記セルラーサブフレームのタイミングアドバンスＴＡ＿ｃｅｌｌが前記Ｄ２Ｄサブフレームを送信するためのタイミングアドバンスＴＡ＿Ｄ２Ｄよりも短い場合に、前記ＧＰを開始位置に有する前記Ｄ２Ｄサブフレームを含む、請求項９または１０に記載のＵＥ（３０１）。
【請求項１２】
前記無線フレーム構造は、前記Ｄ２Ｄサブフレームよりも後にセルラーサブフレームが送信され、かつ、前記セルラーサブフレームのタイミングアドバンスＴＡ＿ｃｅｌｌが前記Ｄ２Ｄサブフレームを送信するためのタイミングアドバンスＴＡ＿Ｄ２Ｄよりも長いか等しい場合に、ＧＰを終了位置に有するＤ２Ｄサブフレームを含む、請求項９または１０に記載のＵＥ（３０１）。
【請求項１３】
前記無線フレーム構造は、前記セルラーサブフレームが送信された後に前記Ｄ２Ｄサブフレームが受信され、かつ、前記セルラーサブフレームのタイミングアドバンスＴＡ＿ｃｅｌｌが、前記Ｄ２Ｄサブフレームを送信するためのタイミングアドバンスＴＡ＿Ｄ２Ｄから、Ｄ２Ｄ ＴＸからＤ２Ｄ ＲＸへの前記Ｄ２Ｄサブフレームの送信遅延Ｔ＿ＴｒａｎｓＤｅｌａｙを減算したものよりも短い場合に、前記ＧＰを開始位置に有する前記Ｄ２Ｄサブフレームを含む、請求項９または１０に記載のＵＥ（３０１）。
【請求項１４】
前記無線フレーム構造は、前記Ｄ２Ｄサブフレームが受信された後にセルラーサブフレームが送信され、かつ、前記セルラーサブフレームのタイミングアドバンスＴＡ＿ｃｅｌｌが、前記Ｄ２Ｄサブフレームを送信するためのタイミングアドバンスＴＡ＿Ｄ２Ｄから、Ｄ２Ｄ ＴＸからＤ２Ｄ ＲＸへの前記Ｄ２Ｄサブフレームの送信遅延Ｔ＿ＴｒａｎｓＤｅｌａｙを減算したものよりも長いか等しい場合に、前記ＧＰを終了位置に有する前記Ｄ２Ｄサブフレームを含む、請求項９または１０に記載のＵＥ（３０１）。
【請求項１５】
前記無線フレーム構造は、第一のＤ２Ｄサブフレームが受信された後に第二のＤ２Ｄサブフレームが送信される場合、前記第二のＤ２Ｄサブフレームが続く前記第一のＤ２Ｄサブフレームを含み、前記第一のＤ２Ｄサブフレームの終了位置に前記ＧＰがあり、および／または、前記第二のＤ２Ｄサブフレームの開始位置に前記ＧＰがある、請求項９または１０に記載のＵＥ（３０１）。
【請求項１６】
前記ＧＰは直交周波数分割多重（ＯＦＤＭ）シンボルの一つの継続時間に相当する、請求項９ないし１５のいずれか一項に記載のＵＥ（３０１）。
【発明の詳細な説明】
【技術分野】
【０００１】
本開示は一般に移動通信の技術分野に関連し、とりわけ、セルラーとデバイスツーデバイス（Ｄ２Ｄ）との混在型ネットワークにおけるユーザ装置（ＵＥ）によって実行される通信方法と、ＵＥとに関連する。
【背景技術】
【０００２】
このセクションは本開示において記述される技術の様々な実施形態に対する背景を提供することが意図されている。このセクションにおける記述は達成可能なコンセプトを含みうるが、過去に着想または達成されたものである必要はない。したがって、ここでとくに断りがない限り、このセクションにおいて記述されるものは本開示におけるこの記述および／または、クレームに対する従来技術ではなく、このセクションに含ませたことだけで従来技術として自認したものでもない。
【０００３】
第三世代パートナーシッププロジェクト（３ＧＰＰ）ロングタームエボリューション（ＬＴＥ）の近年の開発進展は、家庭、オフィス、または公衆ホットスポット、もしくは、屋外環境などの様々な場所においてローカルのインターネットプロトコルベースのサービスへのアクセスを可能にしている。ローカルＩＰアクセスおよびローカルコネクティビティのための重要な使用事例の一つは、いわゆるＤ２Ｄ通信モードを含み、これは相互に近接したＵＥ（典型的には１０メートル未満や、ときには数百メートルに至ることもある）がお互いに直接的に通信するものである。
【０００４】
Ｄ２ＤのＵＥは、少なくとも一つのセルラーアクセスポイント（例：エボルブド・ノードＢ（ｅＮＢ））を介して通信しなければならいセルラーＵＥと比較して、お互いにずっと近くに存在しているため、収容能力、ピークレート利得、および遅延利得などを含む伝統的なセルラー技術による潜在的な利得を達成している。
【０００５】
収容利得は、たとえば、Ｄ２Ｄとセルラー通信との間で無線リソース（例：直交周波数分割多重（ＯＦＤＭ）のリソースブロック）を再利用することによって、および、ＵＥ間でのリンクの数を２個から１個に削減することによって、つまり、ひとつのリンクについて必要となる無線リースを削減することで、達成されている。ピークレート利得は、Ｄ２ＤのＵＥ間が相対的に短距離であること、および、これらの間の伝搬状況が潜在的に好ましいものであることから直接的に結果として得られる。遅延利得は、また、Ｄ２ＤのＵＥ間のリンクが単一で相対的に短いリンクであることの直接的な結果である。
【０００６】
図１はセルラーおよびＤ２Ｄ混在型ネットワーク１００の一例を図示しており、ここではＵＥ１０１はセルラーリンク１０５を使用してｅＮＢ１０３を介して通信するセルラーＵＥであり、ＵＥ１０８およびＵＥ１１０はＤ２ＤのＵＥリンク１１５を使用して相互に直接的に通信するＤ２ＤのＵＥである。このようなセルラーおよびＤ２Ｄ混在型ネットワーク１００において、Ｄ２Ｄ通信はセルラー通信と無線リソースを共有している。時分割デュープレックス（ＴＤＤ）は図１において双方向のＤ２Ｄ通信のためのデュープレックス方式として利用されている。
【０００７】
純粋なセルラーシステムは図１においてＵＥ１０１とｅＮＢ１０３だけを含みうる。Ｄ２ＤのＵＥリンク１１５を使用して通信しているＵＥ１０８とＵＥ１１０は含まれない。適切に動作するためにＴＤＤ方式を使用する純粋なセルラーシステムについて、ガード期間（ＧＰ）が、図２に示すように、ダウンリンク（ＤＬ）通信とアップリンク（ＵＬ）通信との間の遷移（切り替え）期間に設定されている。ＧＰは、無線送信が発生しない時間間隔として説明されてもよい。ＧＰの目的は、データの伝搬に依拠した送信の重なりから隣接したデータを保護すること、つまり、干渉を回避することにある。ＧＰの長さはセルサイズに関係する。より具体的には、ＧＰはｅＮＢとＵＥ１０１との間で送信される信号の伝搬遅延時間、つまり、ｅＮＢ１０３からＵＥ１０１への送信について遅延またはＵＥ１０１からｅＮＢ１０３への送信についての遅延の２倍よりも大きくなければならない。ＧＰは、ｅＮＢ１０３からＵＥ１０１（つまり、ＤＬ）の伝搬遅延と、送信（つまり、ＵＬ）のためにＵＥ１０１のタイミングアドバンス（ＡＴ）と、を取り扱うために使用され、ＴＤＤシステムにのみ存在する。よって、ＧＰはダウンリンクとアップリンクとの間の切り替え期間である。ダウンリンクパイロットタイムスロット（ＤｗＰＴＳ）とアップリンクパイロットタイムスロット（ＵｐＰＴＳ）との間に位置づけられるＧＰを用いて、ｅＮＢ１０３から送信されるＤＬデータは、ＴＡを用いてＵＬデータがＵＥからｅＮＢ１０３へ送信される前に、ＵＥ１０１によって完全に受信される。ＴＡはデータを送信するためにＵＥ１０１によって使用される。異なるＵＥの信号がｅＮＢ１０３において時間的に整列可能となるように、これらの異なるＵＥは異なるＴＡを有している。図２に示す送信遅延はｅＮＢ１０３からＵＥ１０１へ送信されるデータの遅延である。
【０００８】
ｅＮＢ１０３からＤＬデータが送信された時刻は図２においてｅＮＢ ＴＸと示されており、ＤＬデータがＵＥ１０１によって受信された時刻は図２においてＵＥ ＲＸと示されている。ＵＥ１０１からｅＮＢ１０３へＵＬデータが送信された時刻は図２においてＵＥ ＴＸと示されており、ＵＬデータがｅＮＢ１０３によって受信された時刻は図２においてｅＮＢ ＲＸと示されている。ＴＸは送信を示し、ＲＸは受信を示している。
【０００９】
上述したＤｗＰＴＳは、同期、ユーザデータおよびスケジューリング情報および制御情報を送信するためのダウンリンク制御チャネルを搬送するフィールドである。ＵｐＰＴＳは、物理ランダムアクセスチャネルおよびサウンディングリファレンス信号を送信するために使用されるフィールドである。
【００１０】
用語としての上述したＤＬは、ｅＮＢ１０３からＵＥ１０１への方向における通信を指しており、用語としてのＵＬは、ＵＥ１０１からｅＮＢ１０３への方向における通信を指している。
【００１１】
セルラーおよびＤ２Ｄ混在型ネットワークにおける送信は、送信対象のデータがマッピングされるときにフレーム構造やサブフレーム構造を利用してもよい。フレームは複数のサブフレームに分割されうる。サブフレームは、所定の長さを有しうるものであり、いくつかのスロットなどを含みうる。セルラーサブフレームは、ＵＥとｅＮＢとの間でデータを搬送するために使用されるサブフレームであってもよい。Ｄ２Ｄサブフレームは、二つのＵＥ間で、つまり、Ｄ２ＤのＵＥ間でデータを搬送するために使用されるサブフレームであってもよい。サブフレームは、少なくとも一つのＯＦＤＭシンボルを含みうる。ＵＥによって（他のＵＥへ）送信されるＤ２ＤサブフレームはＤ２Ｄ ＴＸサブフレームと呼ばれる。ＵＥによって（他のＵＥから）受信されるＤ２ＤサブフレームはＤ２Ｄ ＲＸサブフレームと呼ばれる。
【００１２】
セルラーおよびＤ２Ｄ混在型ネットワーク１００において、ＤＬ／ＵＬの切り替えとは異なる他の通信切り替えが存在する。一つのＵＥから見ると、通信の切り替えは、セルラーサブレフレームとＤ２Ｄ ＴＸサブフレームとの間、セルラーサブフレームとＤ２Ｄ ＲＸサブフレームとの間、または、Ｄ２Ｄ ＴＸサブフレームとＤ２Ｄ ＲＸサブフレームとの間で追加的に発生しうる。これらの切り替えにおいて、上述した重なりが発生しうるものであり、データの送信／受信に影響しうる。
【発明の概要】
【課題を解決するための手段】
【００１３】
本開示の目的は、セルラーおよびＤ２Ｄ混在型ネットワークにおけるＵＥが、セルラーサブレフレームとＤ２Ｄ ＴＸサブフレームとの間、セルラーサブフレームとＤ２Ｄ ＲＸサブフレームとの間、または、Ｄ２Ｄ ＴＸサブフレームとＤ２Ｄ ＲＸサブフレームとの間での通信切り替えにおいて適切に動作することを保証する解決手段を提供することである。
【００１４】
本開示の第一の観点によれば、セルラーおよびＤ２Ｄ混在型ネットワークにおけるＵＥによって実行される通信方法が提供される。ＵＥは混在型ネットワークにおいて無線フレーム構造にしたがって通信する。無線フレーム構造は、Ｄ２Ｄサブフレームの終了位置または開始位置にＧＰを有している少なくとも一つのＤ２Ｄサブフレームを含む。
【００１５】
本開示の第二の観点によれば、セルラーおよびＤ２Ｄ混在型ネットワークにおけるＵＥが提供される。ＵＥは混在型ネットワークにおいて無線フレーム構造にしたがって送信と受信とを実行するように構成された通信機を含む。無線フレーム構造は、Ｄ２Ｄサブフレームの終了位置または開始位置にＧＰを有している少なくとも一つのＤ２Ｄサブフレームを含む。
【００１６】
本開示の第一および第二の観点にしたがって方法とＵＥとを使用することによって、セルラーおよびＤ２Ｄ混在型ネットワークにおいてＵＥは様々な切り替え時に適切に動作できるようになる。ＵＥが適切に動作するときに、ＵＥは、Ｄ２Ｄサブフレームの開始位置および／または終了位置において定義されているＧＰによって、様々な切り替え時に何を実行すればよいかを正確には把握する。換言すれば、ＵＥはＧＰの位置と長さを知っているため、ＵＥはデータを搬送するシンボルを受信するだけでよい。ＧＰなしでは、ＵＥは様々な切り替え時に何をすればよいかを把握できず、その結果、ＵＥはセルラーデータやＤ２Ｄデータなどを廃棄してしまうかもしれない。換言すれば、サブフレームの切り替え時に、ＵＥは、第一のサブフレームの終了位置がどこであるかや、第二のサブフレームの開始位置がどこであるかを、ＧＰがないために知らない。この結果として、サブフレーム送信の間に重なりが存在すると、ＵＥはセルラーデータまたはＤ２Ｄデータを廃棄すべきかどうかを知ることができない。
【図面の簡単な説明】
【００１７】
本開示についての上述したおよび他の目的、特徴および有利性は図面の参照とともに本開示の実施形態についての以下の説明から明確になるであろう。
【図１】セルラーおよびＤ２Ｄ混在型ネットワークを示す図である。
【図２】ＴＤＤ方式を使用する純粋なセルラーシステムにおけるＤＬ通信とＵＬ通信との間の切り替え時に適切に動作するためのＵＥについて解決手段を示す図である。
【図３】本開示にしたがったセルラーおよびＤ２Ｄ混在型ネットワークの実施形態を示す図である。
【図４ａ】、
【図４ｂ】Ｄ２Ｄ ＲＸ ＵＥがｅＮＢよりもＤ２Ｄ ＴＸ ＵＥに対してより近くに存在しており、ｅＮＢがＤ２Ｄ ＵＥよりもＤ２Ｄ ＴＸ ＵＥに対してより近くに存在しているシナリオを示す図である。
【図５】セルラーサブフレームとＤ２Ｄ ＴＸサブフレームとの間の切り替えについての異なるケースを示す図である。
【図６】セルラーサブフレームとＤ２Ｄ ＲＸサブフレームとの間の切り替えについての異なるケースを示す図である。
【図７】Ｄ２Ｄ ＴＸサブフレームよＤ２Ｄ ＲＸサブフレームとの間の切り替えについての異なるケースを示す図である。
【図８】図５−７に示した切り替え時にＵＥが適切に動作することを保証するための通信方法を示す図である。
【図９】本開示に従ったＤ２Ｄサブフレームの構造の一例を示す図である。
【図１０】本開示に従ったＵＥの構造の一例を示す図である。
【発明を実施するための形態】
【００１８】
以下では、添付図面に示された実施形態を参照しつつ本開示が説明される。しかし、これらの説明は本開示を限定するものではなく、図解目的で提供されることを理解されるべきである。さらに、以下において、既知の構造や技術の説明は、本開示のコンセプトの邪魔とならないように、省略される。
【００１９】
図３は本開示にしたがったセルラーおよびＤ２Ｄ混在型ネットワーク３００の実施形態を示す図である。セルラーおよびＤ２Ｄ混在型ネットワーク３００は、Ｄ２Ｄ ＵＥ３０３へデータを送信したり、Ｄ２Ｄ ＵＥ３０３からデータを受信したりするＵＥ１０１を含む。セルラーおよびＤ２Ｄ混在型ネットワーク３００は、さらに、ＵＥ３０１へデータを送信したり、ＵＥ３０１からデータを受信したりするｅＮＢ３０５を含む。よって、ＵＥ３０１はｅＮＢとＤ２Ｄ ＵＥ３０３との両方からデータを受信したり、これらへ送信したりすることができる。ＵＥ３０１およびＤ２Ｄ ＵＥ３０３はそれぞれ、たとえば、インターネットへのアクセスなど、通信事業者の無線アクセスネットワークおよびコアネットワークがアクセスを提供するデバイスであって、加入者が通信事業者のネットワークによって提供されるサービスへアクセスしたり、通信事業者のネットワークの外にあるサービスにアクセスしたりするためのデバイスであってもよい。ＵＥ３０１およびＤ２Ｄ ＵＥ３０３はそれぞれ、通信ネットワークにおける無線チャネルを介して通信することを可能にする移動型または固定型のいずれかのデバイスであってもよく、たとえば、これらに限定されるわけではないが、ユーザ装置、移動電話機、スマートフォン、センサー、メーター、乗り物、家庭電化製品、医療機器、メディアプレイヤー、カメラ、マシンツーマシン（Ｍ２Ｍ）デバイス、または、いずれかのタイプのコンシューマエレクトロニック、たとえば、これらに限定されるわけではないが、テレビ受像機、ラジオ、照明器具、タブレットコンピュータ、ラップトップコンピュータまたはパーソナルコンピュータ（ＰＣ）などであってもよい。
【００２０】
上述したように、セルラーおよびＤ２Ｄ混在型ネットワークにおいて動作するＵＥ３０１は、ｅＮＢ３０５だけでなく、たとえば、Ｄ２Ｄ受信側（ＲＸ）ＵＥなど、対応するＤ２Ｄ ＵＥ３０３へデータを送信しうる。したがって、ｅＮＢ３０５へデータを送信するためのＴＡ＿ｃｅｌｌと、Ｄ２Ｄ ＵＥ３０３へデータを送信するためのＴＡ＿Ｄ２Ｄとして示されている２つのＴＡが事前にそれぞれ存在する。ＴＡ＿ｃｅｌｌとＴＡ＿Ｄ２Ｄとの取得は、既知の取得技術やこれまでに知られていないものにしたがって実行可能である。たとえば、ＴＡ＿ｃｅｌｌとＴＡ＿Ｄ２Ｄは、ＵＥ３０１のすべてのデータがｅＮＢ３０５またはＤ２Ｄ ＵＥ３０３に同時に到着するような手法でもって決定されてもよい。ＵＥ３０１は、ＵＥ３０１がｅＮＢ３０５へデータを送信する実施形態においてはＴＸ ＵＥと呼ばれ、ＵＥ３０１がＤ２Ｄ ＲＸ ＵＥであるＤ２Ｄ ＵＥ３０３に対してデータを送信するときには、Ｄ２Ｄ ＴＸ ＵＥと呼ばれてもよい。ＵＥ３０１は、Ｄ２Ｄ ＵＥ３０３がＤ２Ｄ ＴＸ ＵＥであるときに、ＵＥ３０１がＤ２Ｄ ＵＥ３０３からデータを受信する実施形態においては、Ｄ２Ｄ ＲＸ ＵＥと呼ばれてもよい。ＵＥ３０１は、ＵＥ３０１がｅＮＢ３０５からデータを受信する実施形態においては、ＲＸ ＵＥと呼ばれてもよい。換言すれば、ＵＥ３０１は送信側ＵＥと受信側ＵＥとの双方になりうる。Ｄ２Ｄ ＵＥ３０３は、ＵＥ３０１がＤ２Ｄ ＴＸ ＵＥであるときに、ＵＥ３０１からデータを受信する実施形態においては、Ｄ２Ｄ ＲＸ ＵＥと呼ばれてもよい。Ｄ２Ｄ ＵＥ３０３は、ＵＥ３０１がＤ２Ｄ ＲＸ ＵＥであるときに、ＵＥ３０１へデータを送信する実施形態においては、Ｄ２Ｄ ＴＸ ＵＥと呼ばれてもよい。換言すれば、Ｄ２Ｄ ＵＥ３０３は送信側Ｄ２Ｄ ＵＥ３０３と受信側Ｄ２Ｄ ＵＥ３０３との双方になりうる。
【００２１】
ときには、Ｄ２Ｄ ＵＥ３０３はｅＮＢ３０５よりもＵＥ３０１に対して近いことがあり、また、ときには、ｅＮＢ３０５はＤ２Ｄ ＵＥ３０３よりもＵＥ３０１に対して近いこともある。図４ａ、図４ｂには二つのケースがそれぞれ示されている。用語としての「近い」は距離を指している。Ｄ２Ｄ ＵＥ３０３がｅＮＢ３０５よりもＵＥ３０１に対して近いときに、用語としての「近い」は、Ｄ２Ｄ ＵＥ３０３とＵＥ３０１との間の距離が、ＵＥ３０１とｅＮＢ３０５との間の距離よりも短いことを指している。同様に、ｅＮＢ３０５がＤ２Ｄ ＵＥ３０３よりもＵＥ３０１に近いと記述されるときは、ＵＥ３０１とｅＮＢ３０５との間の距離が、ＵＥ３０１とＤ２Ｄ ＵＥ３０３との間の距離よりも短い。
【００２２】
以下では、セルラーおよびＤ２Ｄ混在型ネットワーク３００においてＵＥ３０１が本開示にしたがって異なる切り替えシナリオにおいていかにして適切に動作するかを示すために、六つの切り替えのシナリオが説明される。
【００２３】
第一のシナリオにおいて、ＵＥ３０１は、まず、ｅＮＢ３０５に対してＴＡ＿ｃｅｌｌ１でもってセルラーサブフレームを送信し、Ｄ２Ｄ ＵＥ３０３に対してＴＡ＿Ｄ２ＤでもってＤ２Ｄサブフレームを送信する。ＴＡ＿ｃｅｌｌ１は図５ａに示すようにＴＡ＿Ｄ２Ｄよりも長くてもよいし、等しくてもよく、または、ＴＡ＿ｃｅｌｌ１は図５ｂに示すようにＴＡ＿Ｄ２Ｄよりも短くてもよい。
【００２４】
図５ａにおける前者のケースでは、セルラーサブフレームとＤ２Ｄサブフレームとの間の重なり（オーバーラップ）は生じない。つまり、セルラーサブフレームは、ＵＥ３０１がＤ２Ｄ ＵＥ３０３に対してＴＡ＿Ｄ２ＤでもってＤ２Ｄサブフレームの送信を開始する前に、ＵＥ３０１によって完全に送信可能となる。したがって、ＵＥ３０１は、この切り替え時に適切に動作でき、この切り替えを取り扱うための特別な手段は適用される必要がない。
【００２５】
図５ｂにおける後者のケースでは、Ｄ２Ｄサブフレームの開始位置におけるＯＦＤＭシンボルが、セルラーサブフレームの終了位置におけるシンボルに重なりうる。セルラーサブフレームの送信がＤ２Ｄサブフレームの送信によって影響を受けないためには、ＧＰはＤ２Ｄサブフレームの開始位置に設定されてもよい。ＧＰの設定に依拠してセルラーサブフレームがＤ２Ｄサブフレームの送信によって影響を受けないため、セルラーおよびＤ２Ｄ混在型ネットワーク３００において送信されるデータを失うリスクが減少する。
【００２６】
第二のシナリオにおいて、ＵＥ３０１は、まず、Ｄ２Ｄ ＵＥ３０３に対してＴＡ＿Ｄ２ＤでもってＤ２Ｄサブフレームを送信し、ｅＮＢ３０５に対してＴＡ＿ｃｅｌｌ１でもってセルラーサブフレームを送信する。ＴＡ＿ｃｅｌｌ１は図５ｃに示すようにＴＡ＿Ｄ２Ｄよりも長くてもよいし、等しくてもよく、または、ＴＡ＿ｃｅｌｌ１は図５ｄに示すようにＴＡ＿Ｄ２Ｄよりも短くてもよい。
【００２７】
図５ｃにおける前者のケースでは、Ｄ２Ｄサブフレームの終了位置におけるＯＦＤＭシンボルが、セルラーサブフレームの開始位置におけるシンボルに重なりうる。セルラーサブフレームの送信がＤ２Ｄサブフレームの送信によって影響を受けないためには、ＧＰはＤ２Ｄサブフレームの終了位置に設定されてもよい。ＧＰの設定に依拠してセルラーサブフレームがＤ２Ｄサブフレームの送信によって影響を受けないため、セルラーおよびＤ２Ｄ混在型ネットワーク３００において送信されるデータを失うリスクが削減される。
【００２８】
図５ｄにおける後者のケースでは、Ｄ２Ｄサブフレームとセルラーサブフレームの間の重なり（オーバーラップ）は生じない。つまり、Ｄ２Ｄサブフレームは、ＵＥ３０１がＤ２Ｄ ＵＥ３０５に対してＴＡ＿ｃｅｌｌ１でもってセルラーサブフレームの送信を開始する前に、ＵＥ３０１によって完全に送信可能となる。したがって、ＵＥ３０１は、この切り替え時に適切に動作でき、この切り替えを取り扱うための特別な手段は適用される必要がない。
【００２９】
第三のシナリオにおいて、ＵＥ３０１は、まず、ｅＮＢ３０５に対してＴＡ＿ｃｅｌｌ２でもってセルラーサブフレームを送信し、たとえば、Ｄ２Ｄ ＵＥ３０３などのＤ２Ｄ ＴＸ ＵＥからＤ２Ｄサブフレームを受信するよう、Ｄ２Ｄ ＲＸ ＵＥ３０１として機能する。Ｄ２Ｄサブフレームは、ＴＡ＿Ｄ２ＤでもってＤ２Ｄ ＴＸ ＵＥ３０３から送信され、Ｄ２Ｄ ＴＸ ＵＥ３０３からＤ２Ｄ ＲＸ ＵＥ３０１へ送信遅延Ｔ＿ＴｒａｎｓＤｅｌａｙを受ける。ＴＡ＿ｃｅｌｌ２は図６ａに示すようにＴＡ＿Ｄ２ＤからＴ＿ＴｒａｎｓＤｅｌａｙを減算したものよりも長くてもよいし、等しくてもよく、または、ＴＡ＿ｃｅｌｌ２は図６ｂに示すようにＴＡ＿Ｄ２ＤからＴ＿ＴｒａｎｓＤｅｌａｙを減算したものよりも短くてもよい。
【００３０】
図６ａにおける前者のケースでは、セルラーサブフレームとＤ２Ｄサブフレームとの間の重なり（オーバーラップ）は生じない。つまり、セルラーサブフレームは、Ｄ２ＤサブフレームがＤ２Ｄ ＲＸ ＵＥ３０３に到着する前に、ＵＥ３０１によって完全に送信可能となる。したがって、ＵＥ３０１は、この切り替え時に適切に動作でき、この切り替えを取り扱うための特別な手段は適用される必要がない。
【００３１】
図６ｂにおける後者のケースでは、Ｄ２Ｄサブフレームの開始位置におけるＯＦＤＭシンボルが、セルラーサブフレームの終了位置におけるシンボルに重なりうる。Ｄ２Ｄサブフレームのデータの消失を回避するために、ＧＰはＤ２Ｄサブフレームの開始位置に設定されてもよい。
【００３２】
第四のシナリオにおいて、ＵＥ３０１は、まず、Ｄ２Ｄサブフレームを受信するためにＤ２Ｄ ＲＸ ＵＥとして機能し、ｅＮＢ３０５に対してＴＡ＿ｃｅｌｌ２でもってセルラーサブフレームを送信する。Ｄ２Ｄサブフレームは、ＴＡ＿Ｄ２ＤでもってＤ２Ｄ ＴＸ ＵＥ、たとえば、Ｄ２Ｄ ＵＥ３０３から送信され、Ｄ２Ｄ ＴＸ ＵＥ３０３からＤ２Ｄ ＲＸ ＵＥ３０１へ送信遅延Ｔ＿ＴｒａｎｓＤｅｌａｙを受ける。ＴＡ＿ｃｅｌｌ２は図６ｃに示すようにＴＡ＿Ｄ２ＤからＴ＿ＴｒａｎｓＤｅｌａｙを減算したものよりも長くてもよいし、等しくてもよく、または、ＴＡ＿ｃｅｌｌ２は図６ｄに示すようにＴＡ＿Ｄ２ＤからＴ＿ＴｒａｎｓＤｅｌａｙを減算したものよりも短くてもよい。
【００３３】
図６ｃにおける前者のケースでは、Ｄ２Ｄサブフレームの終了位置におけるＯＦＤＭシンボルが、セルラーサブフレームの開始位置におけるシンボルに重なりうる。Ｄ２Ｄサブフレームのデータの消失を回避するために、ＧＰはＤ２Ｄサブフレームの終了位置に設定されてもよい。
【００３４】
図６ｄにおける後者のケースでは、セルラーサブフレームとＤ２Ｄサブフレームとの間の重なり（オーバーラップ）は生じない。つまり、Ｄ２Ｄサブフレームは、ＵＥ３０１がセルラーサブフレームの送信を開始する前に、ＵＥ３０１によって完全に受信可能となる。したがって、ＵＥ３０１は、この切り替え時に適切に動作でき、この切り替えを取り扱うための特別な手段は適用される必要がない。
【００３５】
第五シナリオにおいて、ＵＥ３０１は、まず、Ｄ２Ｄ ＵＥ３０３に対してＤ２Ｄサブフレームを送信するためにＤ２Ｄ ＴＸ ＵＥとして機能し、Ｄ２Ｄ ＵＥ３０３からＤ２Ｄサブフレームを受信するよう、Ｄ２Ｄ ＲＸ ＵＥとして機能する。図７ａに示すように、このシナリオでは、Ｄ２Ｄ ＴＸ ＵＥ３０１からＤ２Ｄ ＲＸ ＵＥ３０３へのＤ２Ｄサブフレームの送信遅延と、Ｄ２Ｄ ＴＸサブフレームの送信のためのＴＡとに依拠して、Ｄ２Ｄ ＴＸサブフレームとＤ２Ｄ ＴＸサブフレームの重なりは生じない。したがって、ＵＥ３０１は、この切り替え時に適切に動作でき、この切り替えを取り扱うための特別な手段は適用される必要がない。
【００３６】
第六シナリオにおいて、ＵＥ３０１は、まず、Ｄ２Ｄサブフレームを受信するためにＤ２Ｄ ＲＸ ＵＥとして機能し、Ｄ２Ｄサブフレームを送信するためにＤ２Ｄ ＴＸ ＵＥとして機能する。図７ｂに示したように、このシナリオでは、Ｄ２Ｄ ＲＸサブフレームの終了位置におけるＯＦＤＭシンボルが、Ｄ２Ｄ ＴＸサブフレームの開始位置におけるシンボルに重なりうる。この重なりは状況の違いに依拠している。ＤＬタイミングの使用とＵＬ ＴＡの使用といった、２つのＤ２Ｄサブフレームの送信タイミングが潜在的に可能である。同様に、ＤＬタイミングの使用とＵＬ ＴＡの使用といった、２つのＤ２Ｄサブフレームの受信タイミングが潜在的に可能である。重なりは、ＵＥ３０１とＤ２Ｄ ＵＥ３０３との位置にも関連している（ｅＮＢ３０５に対して一方が最も近い）。しかし、一般にＤ２Ｄ ＲＸからＤ２Ｄ ＴＸへの切り替え時に重なりが生じる。Ｄ２Ｄサブフレームのデータの消失を回避するために、ＧＰはＤ２Ｄ ＴＸサブフレームの開始位置またはＤ２Ｄ ＲＸサブフレームの終了位置、あるいはこの両方に設定されてもよい。
【００３７】
当業者であれば理解できるように、第三および第四の切り替えシナリオを扱うためには、Ｄ２Ｄ ＴＸ ＵＥは、ＴＡ＿ｃｅｌｌ２とＴ＿ＴｒａｎｓＤｅｌａｙとを明示的にまたは黙示的にＤ２Ｄ ＲＸ ＵＥによって必要とされる。
【００３８】
要するに、セルラーおよびＤ２Ｄ混在型ネットワーク３００においてＵＥ３０１が上述したシナリオにおいて適切に動作することを保証するために、セルラーおよびＤ２Ｄ混在型ネットワーク３００においてＵＥ３０１が実行する通信方法が提供されうる。図８に示すように、本方法はステップＳ２２０を含んでおり、このステップにおいてＵＥ、たとえば、３０１は、無線フレーム構造にしたがってセルラーおよびＤ２Ｄ混在型ネットワーク３００において通信し、ここで無線フレーム構造は、Ｄ２Ｄサブフレームの終了位置または開始位置にガード期間ＧＰを有している少なくとも一つのＤ２Ｄサブフレームを含む。オプションとして、Ｓ２２０の前に、本方法は、Ｓ２１０を含んでもよく、このステップでＵＥ３０１は、Ｄ２Ｄサブフレームの終了位置または開始位置にガード期間ＧＰを有している少なくとも一つのＤ２Ｄサブフレームを含むように無線フレーム構造を決定してもよい。
【００３９】
好ましくは、無線フレーム構造は、セルラーサブフレームよりも後にＤ２Ｄサブフレームが送信され、かつ、セルラーサブフレームのタイミングアドバンスＴＡ＿ｃｅｌｌがＤ２Ｄサブフレームを送信するためのタイミングアドバンスＴＡ＿Ｄ２Ｄよりも短い場合に、ＧＰを開始位置に有するＤ２Ｄサブフレームを含みうる。
【００４０】
好ましくは、無線フレーム構造は、セルラーサブフレームよりも後にＤ２Ｄサブフレームが送信され、かつ、セルラーサブフレームのタイミングアドバンスＴＡ＿ｃｅｌｌがＤ２Ｄサブフレームを送信するためのタイミングアドバンスＴＡ＿Ｄ２Ｄよりも短い場合に、ＧＰを開始位置に有するＤ２Ｄサブフレームを含むように決定されてもよい。
【００４１】
好ましくは、無線フレーム構造は、Ｄ２Ｄサブフレームよりも後にセルラーサブフレームが送信され、かつ、セルラーサブフレームのタイミングアドバンスＴＡ＿ｃｅｌｌがＤ２Ｄサブフレームを送信するためのタイミングアドバンスＴＡ＿Ｄ２Ｄよりも長いか等しい場合に、ＧＰを終了位置に有するＤ２Ｄサブフレームを含みうる。
【００４２】
好ましくは、無線フレーム構造は、Ｄ２Ｄサブフレームよりも後にセルラーサブフレームが送信され、かつ、セルラーサブフレームのタイミングアドバンスＴＡ＿ｃｅｌｌがＤ２Ｄサブフレームを送信するためのタイミングアドバンスＴＡ＿Ｄ２Ｄよりも長いか等しい場合に、ＧＰを終了位置に有するＤ２Ｄサブフレームを含むように決定されてもよい。
【００４３】
好ましくは、無線フレーム構造は、セルラーサブフレームが送信された後にＤ２Ｄサブフレームが受信され、かつ、セルラーサブフレームのタイミングアドバンスＴＡ＿ｃｅｌｌが、Ｄ２Ｄサブフレームを送信するためのタイミングアドバンスＴＡ＿Ｄ２Ｄから、Ｄ２Ｄ ＴＸからＤ２Ｄ ＲＸへのＤ２Ｄサブフレームの送信遅延Ｔ＿ＴｒａｎｓＤｅｌａｙを減算したものよりも短い場合に、ＧＰを開始位置に有するＤ２Ｄサブフレームを含みうる。
【００４４】
好ましくは、無線フレーム構造は、セルラーサブフレームが送信された後にＤ２Ｄサブフレームが受信され、かつ、セルラーサブフレームのタイミングアドバンスＴＡ＿ｃｅｌｌが、Ｄ２Ｄサブフレームを送信するためのタイミングアドバンスＴＡ＿Ｄ２Ｄから、Ｄ２Ｄ ＴＸからＤ２Ｄ ＲＸへのＤ２Ｄサブフレームの送信遅延Ｔ＿ＴｒａｎｓＤｅｌａｙを減算したものよりも短い場合に、ＧＰを開始位置に有するＤ２Ｄサブフレームを含むように決定されてもよい。
【００４５】
好ましくは、無線フレーム構造は、Ｄ２Ｄサブフレームが受信された後にセルラーサブフレームが送信され、かつ、セルラーサブフレームのタイミングアドバンスＴＡ＿ｃｅｌｌが、Ｄ２Ｄサブフレームを送信するためのタイミングアドバンスＴＡ＿Ｄ２Ｄから、Ｄ２Ｄ ＴＸからＤ２Ｄ ＲＸへのＤ２Ｄサブフレームの送信遅延Ｔ＿ＴｒａｎｓＤｅｌａｙを減算したものよりも長いか等しい場合に、ＧＰを終了位置に有するＤ２Ｄサブフレームを含みうる。
【００４６】
好ましくは、無線フレーム構造は、Ｄ２Ｄサブフレームが受信された後にセルラーサブフレームが送信され、かつ、セルラーサブフレームのタイミングアドバンスＴＡ＿ｃｅｌｌが、Ｄ２Ｄサブフレームを送信するためのタイミングアドバンスＴＡ＿Ｄ２Ｄから、Ｄ２Ｄ ＴＸからＤ２Ｄ ＲＸへのＤ２Ｄサブフレームの送信遅延Ｔ＿ＴｒａｎｓＤｅｌａｙを減算したものよりも長いか等しい場合に、ＧＰを終了位置に有するＤ２Ｄサブフレームを含むように決定されてもよい。
【００４７】
好ましくは、無線フレーム構造は、第一のＤ２Ｄサブフレームが受信された後に第二のＤ２Ｄサブフレームが送信される場合、第二のＤ２Ｄサブフレームがその後に続く第一のＤ２Ｄサブフレームであって、終了位置にＧＰを有する第一のＤ２Ｄサブフレームおよび／または第二のＤ２Ｄサブフレームの開始位置にＧＰを有するような、第一のＤ２Ｄサブフレームを含みうる。
【００４８】
好ましくは、無線フレーム構造は、第一のＤ２Ｄサブフレームが受信された後に第二のＤ２Ｄサブフレームが送信される場合、第二のＤ２Ｄサブフレームがその後に続く第一のＤ２Ｄサブフレームであって、終了位置にＧＰを有する第一のＤ２Ｄサブフレームおよび／または第二のＤ２Ｄサブフレームの開始位置にＧＰを有するような、第一のＤ２Ｄサブフレームを含むように決定されてもよい。
【００４９】
Ｄ２Ｄサブフレームの開始位置および／または終了位置におけるＧＰの設定（配置）は、明示的にまたは黙示的に、一方のＵＥから他方のＵＥへ、たとえば、ＵＥ３０１がＤ２Ｄ ＴＸ ＵＥであるときに、ＵＥ３０１から、Ｄ２Ｄ ＵＥ３０３がＤ２Ｄ ＲＸ ＵＥであるときに、ＵＥ３０３へ信号伝達可能である。追加的に、このシグナリングは、たとえば、ｅＮＢ３０５など、ネットワークによってアシスト（補助）されてもよい。代替え的に、ＵＥ、たとえば、Ｄ２Ｄ ＲＸ ＵＥは、受信したＯＦＤＭシンボルの信号強度を測定し、ブランクのシンボル（このシンボルの信号強度は干渉と同程度のレベルである）をＧＰと決定することによって、ＧＰをブラインド検出してもよい。
【００５０】
一つのＯＦＤＭシンボルの継続時間は、Ｄ２Ｄサブフレームの開始位置または終了位置におけるＧＰのために十分に大きなものであってもよい。一例として通常のサイクリックプリフィックス（ＣＰ）のケースを挙げると、一つのサブフレームは１４個のＯＦＤＭシンボルを有している。各シンボルは、２１ｋｍに相当する約７１マイクロ秒の継続時間を有している。これは、相互に近接しているＵＥ間で典型的に発生するＤ２Ｄ通信にとって十分に大きな値である。図９はＤ２Ｄサブフレームの例示的な構造を示している。図９はハッチングを施された矩形によって表現された二つのＧＰを示している。各ＧＰは一つのＯＦＤＭシンボルに相当する継続時間を有しており、各ＧＰはＤ２Ｄサブフレームの開始位置と終了位置に設定されている。図９において白色の矩形のそれぞれはＤ２ＤデータのためのＯＦＤＭシンボルを示している。トータルとして、図９は、Ｄ２Ｄデータと２個のＧＰのための１２個のＯＦＤＭシンボルを示している。
【００５１】
以下では、本開示に従ったＵＥ３０１の構造が図１０を参照しながら説明される。
【００５２】
図１０に示すように、ＵＥ３０１は無線フレーム構造にしたがってセルラーおよびＤ２Ｄ混在型ネットワーク３００において送信および受信を実行する通信機１０２０を有しており、ここで無線フレーム構造は、Ｄ２Ｄサブフレームの終了位置または開始位置にＧＰを有している少なくとも一つのＤ２Ｄサブフレームを含む。通信機１０２０が送信と受信とを実行するときに、通信機１０２０は通信すると記述されてもよい。オプションとして、ＵＥ３０１は、無線フレーム構造決定ユニット１０１０を含んでもよく、このユニットは、Ｄ２Ｄサブフレームの終了位置または開始位置にＧＰを有している少なくとも一つのＤ２Ｄサブフレームを含むように無線フレーム構造を決定するように構成されうる。
【００５３】
いくつかの実施形態によれば、無線フレーム構造は、Ｄ２Ｄサブフレームがセルラーサブフレームよりも後にＵＥ３０１によってＤ２Ｄ ＵＥ３０３へ送信され、かつ、セルラーサブフレームを送信するためのタイミングアドバンスＴＡ＿ｃｅｌｌがＤ２Ｄサブフレームを送信するためのタイミングアドバンスＴＡ＿Ｄ２Ｄよりも短い場合に、ＧＰを開始位置に有するＤ２Ｄサブフレームを含む。
【００５４】
いくつかの実施形態によれば、無線フレーム構造は、セルラーサブフレームがＤ２Ｄサブフレームよりも後にＵＥ３０１によってｅＮＢ２０５へ送信され、かつ、セルラーサブフレームを送信するためのタイミングアドバンスＴＡ＿ｃｅｌｌがＤ２Ｄサブフレームを送信するためのタイミングアドバンスＴＡ＿Ｄ２Ｄよりも長いか等しい場合に、ＧＰを終了位置に有するＤ２Ｄサブフレームを含む。
【００５５】
いくつかの実施形態によれば、無線フレーム構造は、セルラーサブフレームがＵＥ３０１によってｅＮＢへ送信された後にＤ２ＤサブフレームがＤ２Ｄ ＵＥ３０３からＵＥ３０１によって受信され、かつ、セルラーサブフレームのタイミングアドバンスＴＡ＿ｃｅｌｌが、Ｄ２Ｄサブフレームを送信するためのタイミングアドバンスＴＡ＿Ｄ２Ｄから、Ｄ２Ｄ ＴＸからＤ２Ｄ ＲＸへのＤ２Ｄサブフレームの送信遅延Ｔ＿ＴｒａｎｓＤｅｌａｙを減算したものよりも短い場合に、ＧＰを開始位置に有するＤ２Ｄサブフレームを含む。
【００５６】
いくつかの実施形態によれば、無線フレーム構造は、Ｄ２ＤサブフレームがＵＥ３０１によってＤ２Ｄ ＵＥ３０３から受信された後にセルラーサブフレームがｅＮＢ３０５へＵＥ３０１によって送信され、かつ、セルラーサブフレームのタイミングアドバンスＴＡ＿ｃｅｌｌが、Ｄ２Ｄサブフレームを送信するためのタイミングアドバンスＴＡ＿Ｄ２Ｄから、Ｄ２Ｄ ＴＸからＤ２Ｄ ＲＸへのＤ２Ｄサブフレームの送信遅延Ｔ＿ＴｒａｎｓＤｅｌａｙを減算したものよりも長いか等しい場合に、ＧＰを終了位置に有するＤ２Ｄサブフレームを含む。
【００５７】
いくつかの実施形態によれば、無線フレーム構造は、第一のＤ２Ｄサブフレームが受信された後に第二のＤ２ＤサブフレームがＵＥ３０１によってＤ２Ｄ ＵＥ３０３へ送信される場合、第二のＤ２Ｄサブフレームがその後に続く第一のＤ２Ｄサブフレームであって、第一のＤ２Ｄサブフレームの終了位置にＧＰを有し、および／または第二のＤ２Ｄサブフレームの開始位置にＧＰを有するような、第一のＤ２Ｄサブフレームを含む。
【００５８】
ＧＰは一つのＯＦＤＭシンボルの継続時間に相当してもよい。
【００５９】
好ましくは、無線フレーム構造決定ユニット１０１０は、セルラーサブフレームよりも後にＵＥ３０１によってＤ２Ｄ ＵＥ３０３へＤ２Ｄサブフレームが送信され、かつ、セルラーサブフレームを送信するためのタイミングアドバンスＴＡ＿ｃｅｌｌがＤ２Ｄサブフレームを送信するためのタイミングアドバンスＴＡ＿Ｄ２Ｄよりも短い場合に、ＧＰを開始位置に有するＤ２Ｄサブフレームを含むように無線フレーム構造を決定するように構成されてもよい。
【００６０】
好ましくは、無線フレーム構造決定ユニット１０１０は、Ｄ２Ｄサブフレームよりも後にＵＥ３０１によってｅＮＢ３０５へセルラーサブフレームが送信され、かつ、セルラーサブフレームを送信するためのタイミングアドバンスＴＡ＿ｃｅｌｌがＤ２Ｄサブフレームを送信するためのタイミングアドバンスＴＡ＿Ｄ２Ｄよりも長いか等しい場合に、ＧＰを終了位置に有するＤ２Ｄサブフレームを含むように無線フレーム構造を決定するように構成されてもよい。
【００６１】
いくつかの実施形態によれば、無線フレーム構造決定ユニット１０１０は、セルラーサブフレームがＵＥ３０１によってｅＮＢへ送信された後にＤ２ＤサブフレームがＤ２Ｄ ＵＥ３０３からＵＥ３０１によって受信され、かつ、セルラーサブフレームのタイミングアドバンスＴＡ＿ｃｅｌｌが、Ｄ２Ｄサブフレームを送信するためのタイミングアドバンスＴＡ＿Ｄ２Ｄから、Ｄ２Ｄ ＴＸからＤ２Ｄ ＲＸへのＤ２Ｄサブフレームの送信遅延Ｔ＿ＴｒａｎｓＤｅｌａｙを減算したものよりも短い場合に、ＧＰを開始位置に有するＤ２Ｄサブフレームを含むように無線フレーム構造を決定するように構成されてもよい。
【００６２】
いくつかの実施形態によれば、無線フレーム構造決定ユニット１０１０は、Ｄ２ＤサブフレームがＤ２Ｄ ＵＥ３０３からＵＥ３０１によって受信された後に、セルラーサブフレームがＵＥ３０１によってｅＮＢ３０５へ送信され、かつ、セルラーサブフレームのタイミングアドバンスＴＡ＿ｃｅｌｌが、Ｄ２Ｄサブフレームを送信するためのタイミングアドバンスＴＡ＿Ｄ２Ｄから、Ｄ２Ｄ ＴＸからＤ２Ｄ ＲＸへのＤ２Ｄサブフレームの送信遅延Ｔ＿ＴｒａｎｓＤｅｌａｙを減算したものよりも長いか等しい場合に、ＧＰを終了位置に有するＤ２Ｄサブフレームを含むように無線フレーム構造を決定するように構成されてもよい。
【００６３】
好ましくは、無線フレーム構造決定ユニット１０１０は、第一のＤ２ＤサブフレームがＤ２Ｄ ＵＥ３０３からＵＥ３０１によって受信された後に第二のＤ２ＤサブフレームがＵＥ３０１によってＤ２Ｄ ＵＥ３０３へ送信される場合、第二のＤ２Ｄサブフレームがその後に続く第一のＤ２Ｄサブフレームであって、第一のＤ２Ｄサブフレームの終了位置にＧＰを有し、および／または第二のＤ２Ｄサブフレームの開始位置にＧＰを有するような、第一のＤ２Ｄサブフレームを含む無線フレーム構造を決定するように構成されてもよい。
【００６４】
本開示は、本開示の実施形態を参照しながら以上で説明された。しかし、これらの実施形態は本開示を限定するものではなく、図解目的で提供されている。本開示の範囲は、添付の特許請求の範囲だけでなく、その均等物によって定義される。当業者であれば、本開示の範囲を逸脱することなく、様々な置換や変形を行うことが可能であり、これらも本開示の範囲に含まれる。
【図１】
2016524858.tif 000003
【図２】
2016524858.tif 000004
【図３】
2016524858.tif 000005
【図４ａ】
2016524858.tif 000006
【図４ｂ】
2016524858.tif 000007
【図５】
2016524858.tif 000008
【図６】
2016524858.tif 000009
【図７】
2016524858.tif 000010
【図８】
2016524858.tif 000011
【図９】
2016524858.tif 000012
【図１０】
2016524858.tif 000013
【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
セルラーおよびデバイスツーデバイス（Ｄ２Ｄ）混在型ネットワーク（３００）におけるユーザ装置（ＵＥ）によって実行される通信方法であって、
前記セルラーおよびＤ２Ｄ混在型ネットワーク（３００）において無線フレーム構造にしたがって通信すること（Ｓ２２０）を有し、
前記無線フレーム構造は、第一のＤ２Ｄサブフレームが受信された後に第二のＤ２Ｄサブフレームが送信される場合、前記第二のＤ２Ｄサブフレームが続く前記第一のＤ２Ｄサブフレームを含み、前記第一のＤ２Ｄサブフレームの終了位置にガード期間（ＧＰ）があるか、または、前記第二のＤ２Ｄサブフレームの開始位置に前記ＧＰがあるか、または、前記第一のＤ２Ｄサブフレームの終了位置と前記第二のＤ２Ｄサブフレームの開始位置との双方に前記ＧＰがある、通信方法。
【請求項２】
前記無線フレーム構造を決定すること（Ｓ２１０）をさらに有する請求項１に記載の通信方法。
【請求項３】
前記無線フレーム構造は、セルラーサブフレームよりも後にＤ２Ｄサブフレームが送信され、かつ、前記セルラーサブフレームのタイミングアドバンスＴＡ＿ｃｅｌｌが前記Ｄ２Ｄサブフレームを送信するためのタイミングアドバンスＴＡ＿Ｄ２Ｄよりも短い場合に、前記ＧＰを開始位置に有する前記Ｄ２Ｄサブフレームを含む、請求項１または２に記載の通信方法。
【請求項４】
前記無線フレーム構造は、Ｄ２Ｄサブフレームよりも後にセルラーサブフレームが送信され、かつ、前記セルラーサブフレームのタイミングアドバンスＴＡ＿ｃｅｌｌが前記Ｄ２Ｄサブフレームを送信するためのタイミングアドバンスＴＡ＿Ｄ２Ｄよりも長いか等しい場合に、前記ＧＰを終了位置に有する前記Ｄ２Ｄサブフレームを含む、請求項１または２に記載の通信方法。
【請求項５】
前記無線フレーム構造は、セルラーサブフレームが送信された後にＤ２Ｄサブフレームが受信され、かつ、前記セルラーサブフレームのタイミングアドバンスＴＡ＿ｃｅｌｌが、前記Ｄ２Ｄサブフレームを送信するためのタイミングアドバンスＴＡ＿Ｄ２Ｄから、Ｄ２Ｄ ＴＸからＤ２Ｄ ＲＸへの前記Ｄ２Ｄサブフレームの送信遅延Ｔ＿ＴｒａｎｓＤｅｌａｙを減算したものよりも短い場合に、前記ＧＰを開始位置に有する前記Ｄ２Ｄサブフレームを含む、請求項１または２に記載の通信方法。
【請求項６】
前記無線フレーム構造は、Ｄ２Ｄサブフレームが受信された後にセルラーサブフレームが送信され、かつ、前記セルラーサブフレームのタイミングアドバンスＴＡ＿ｃｅｌｌが、前記Ｄ２Ｄサブフレームを送信するためのタイミングアドバンスＴＡ＿Ｄ２Ｄから、Ｄ２Ｄ ＴＸからＤ２Ｄ ＲＸへの前記Ｄ２Ｄサブフレームの送信遅延Ｔ＿ＴｒａｎｓＤｅｌａｙを減算したものよりも長いか等しい場合に、前記ＧＰを終了位置に有する前記Ｄ２Ｄサブフレームを含む、請求項１または２に記載の通信方法。
【請求項７】
前記ＧＰは直交周波数分割多重（ＯＦＤＭ）シンボルの一つの継続時間に相当する、請求項１ないし６のいずれか一項に記載の通信方法。
【請求項８】
セルラーおよびデバイスツーデバイス（Ｄ２Ｄ）混在型ネットワーク（３００）におけるユーザ装置（ＵＥ）（３０１）であって、
前記セルラーおよびＤ２Ｄ混在型ネットワーク（３００）において無線フレーム構造にしたがって送信および受信を実行するように構成された通信機（１０２０）を有し、
前記無線フレーム構造は、第一のＤ２Ｄサブフレームが受信された後に第二のＤ２Ｄサブフレームが送信される場合、前記第二のＤ２Ｄサブフレームが続く前記第一のＤ２Ｄサブフレームを含み、前記第一のＤ２Ｄサブフレームの終了位置にガード期間（ＧＰ）があるか、または、前記第二のＤ２Ｄサブフレームの開始位置に前記ＧＰがあるか、または、前記第一のＤ２Ｄサブフレームの終了位置と前記第二のＤ２Ｄサブフレームの開始位置との双方に前記ＧＰがある、ユーザ装置（３０１）。
【請求項９】
前記無線フレーム構造を決定するように構成された無線フレーム構造決定ユニット（１０１０）をさらに有する、請求項８に記載のユーザ装置（３０１）。
【請求項１０】
前記無線フレーム構造は、セルラーサブフレームよりも後にＤ２Ｄサブフレームが送信され、かつ、前記セルラーサブフレームのタイミングアドバンスＴＡ＿ｃｅｌｌが前記Ｄ２Ｄサブフレームを送信するためのタイミングアドバンスＴＡ＿Ｄ２Ｄよりも短い場合に、前記ＧＰを開始位置に有する前記Ｄ２Ｄサブフレームを含む、請求項８または９に記載のユーザ装置（３０１）。
【請求項１１】
前記無線フレーム構造は、Ｄ２Ｄサブフレームよりも後にセルラーサブフレームが送信され、かつ、前記セルラーサブフレームのタイミングアドバンスＴＡ＿ｃｅｌｌが前記Ｄ２Ｄサブフレームを送信するためのタイミングアドバンスＴＡ＿Ｄ２Ｄよりも長いか等しい場合に、前記ＧＰを終了位置に有する前記Ｄ２Ｄサブフレームを含む、請求項８または９に記載のユーザ装置（３０１）。
【請求項１２】
前記無線フレーム構造は、セルラーサブフレームが送信された後にＤ２Ｄサブフレームが受信され、かつ、前記セルラーサブフレームのタイミングアドバンスＴＡ＿ｃｅｌｌが、前記Ｄ２Ｄサブフレームを送信するためのタイミングアドバンスＴＡ＿Ｄ２Ｄから、Ｄ２Ｄ ＴＸからＤ２Ｄ ＲＸへの前記Ｄ２Ｄサブフレームの送信遅延Ｔ＿ＴｒａｎｓＤｅｌａｙを減算したものよりも短い場合に、前記ＧＰを開始位置に有する前記Ｄ２Ｄサブフレームを含む、請求項８または９に記載のユーザ装置（３０１）。
【請求項１３】
前記無線フレーム構造は、Ｄ２Ｄサブフレームが受信された後にセルラーサブフレームが送信され、かつ、前記セルラーサブフレームのタイミングアドバンスＴＡ＿ｃｅｌｌが、前記Ｄ２Ｄサブフレームを送信するためのタイミングアドバンスＴＡ＿Ｄ２Ｄから、Ｄ２Ｄ ＴＸからＤ２Ｄ ＲＸへの前記Ｄ２Ｄサブフレームの送信遅延Ｔ＿ＴｒａｎｓＤｅｌａｙを減算したものよりも長いか等しい場合に、前記ＧＰを終了位置に有する前記Ｄ２Ｄサブフレームを含む、請求項８または９に記載のユーザ装置（３０１）。
【請求項１４】
前記ＧＰは直交周波数分割多重（ＯＦＤＭ）シンボルの一つの継続時間に相当する、請求項８ないし１３のいずれか一項に記載のユーザ装置（３０１）。
【国際調査報告】
2016524858.tif 000014
2016524858.tif 000015